(57)【要約】  間欠的に板材を搬送する板材送り装置に、板材を供給することができる板材供給装置を提供する。板材供給装置１０１は、略板材送り装置１０２の方向３０１に板材１０５を搬送する上側部分２０１と、上側部分２０１から搬送された板材１０５を受容して、斜め鉛直下側方向３０２に板材１０５を搬送する中央部分２０２と、中央部分２０２から搬送された板材１０５を受容して、略板材送り装置１０２の方向３０１に板材１０５を搬送する下側部分２０３とを備える。
2020162404.tif 000002
【特許請求の範囲】
【請求項１】
間欠的に板材を搬送する板材送り装置に、前記板材を供給するための板材供給装置であって、
略前記板材送り装置の方向に前記板材を搬送する上側部分と、
前記上側部分から搬送された前記板材を受容して、斜め鉛直下側方向に前記板材を搬送する中央部分と、
前記中央部分から搬送された前記板材を受容して、略前記板材送り装置の方向に前記板材を搬送する下側部分と
を備える板材供給装置。
【請求項２】
前記板材供給装置には、前記板材送り装置の間欠搬送に応じて前記板材を滞留させることができる空間が設けられている、請求項１に記載の板材供給装置。
【請求項３】
前記空間は、前記中央部分と前記下側部分との間に設けられている、請求項２に記載の板材供給装置。
【請求項４】
前記中央部分は、前記板材を前記上側部分から前記中央部分に等速で搬送させることができるようになっている、請求項３に記載の板材供給装置。
【請求項５】
前記空間の大きさは、前記板材供給装置における前記中央部分の位置を調整することによって調整されることができるようになっている、請求項２〜４の何れか一項に記載の板材供給装置。
【請求項６】
前記板材供給装置における前記中央部分の位置は、前記板材の厚さ、前記板材の送り長さ、及び前記板材の搬送速度のうちの少なくとも１つに従って調整されることができるようになっている、請求項２〜５の何れか一項に記載の板材供給装置。
【請求項７】
前記中央部分は、前記空間の大きさを調整するために、鉛直方向に移動することができるようになっている、請求項２〜６の何れか一項に記載の板材供給装置。
【請求項８】
前記中央部分は、前記空間の大きさを調整するために、水平方向に平行であって、且つ前記斜め鉛直下側方向に垂直である軸線を中心として回転することができるようになっている、請求項２〜７の何れか一項に記載の板材供給装置。
【請求項９】
前記上側部分は、前記板材を前記中央部分に案内するためのガイドを備える、請求項１〜８の何れか一項に記載の板材供給装置。
【請求項１０】
前記下側部分は、前記板材を前記板材送り装置に案内するためのガイドを備える、請求項１〜９の何れか一項に記載の板材供給装置。
【発明の詳細な説明】
【技術分野】
【０００１】
本発明は、プレス装置等に対して間欠的に板材を搬送する板材送り装置に、板材を供給することができる板材供給装置に関するものである。
【背景技術】
【０００２】
板材送り装置がプレス装置等に対してコイル材等の板材を搬送する場合、板材送り装置による搬送動作は、プレス装置におけるプレス作業に合わせて板材の移動・停止を繰り返すように間欠的に行われる。板材の移動・停止によって発生する慣性力が板材に作用して、板材が振動したり、バタツキと呼ばれる波打ち現象が発生したりする。このようなバタツキが発生すると、板材送り装置に過度な負担を掛けるだけなく、板材に曲がりが生じたりキズがついたりするため、ルーパーと呼ばれる緩衝区間を設ける必要がある。コイル材のバタツキを緩和させる手法として、緩衝区間としてＵ字型、Ｓ字型、等のルーパーが設けられたコイル材供給装置がある。Ｕ字型、Ｓ字型、等のルーパーが設けられない場合と比べるとバタツキは少なくなるが、コイル材を高速を搬送する場合にはバタツキが発生し、それ以上に高速にコイル材を搬送することはできず、プレス加工に高速化が要求される中で、プレス能力を充分に発揮することができないという問題点がある。【０００３】
引用文献１には、プレス装置の板材送り装置の近傍に配置されて、コイル材をループを作りながら送るためのサーボモータを備える一対の送りロールと、コイル材のループ量を検出するための位置センサと、位置センサからの信号によりサーボモータを制御して送りロールによるコイル材の送り量を制御する制御装置とを備えるコイル材供給装置が開示されている。引用文献２には、コイル材供給部と、このコイル材供給部の下流側に設けられるコイル材のループ量を検出する位置センサと、位置センサからの信号によりサーボモータを制御して送りロールによるコイル材の送り量を制御する制御装置と、コイル材供給部を材料の供給角度を条件に合わせ変更できるようにその取付角度の調整が可能な状態で保持するスタンドとを含む、コイル材をプレス装置の板材送り装置に供給するためのコイル材供給装置が開示されている。引用文献３には、コイル材を矯正して送り出すレベラー部とレベラー部から出た後のコイル材をループ形成させるガイド部を有し、形成されたループの膨らみを所望値にすると共に、レベラー部に入る前にコイル材をループ形成させる別のガイド部を有し、レベラー部はループ形状が変曲される中間部に配されているコイル材供給装置が開示されている。
【先行技術文献】
【特許文献】
【０００４】
【特許文献１】実開平６−５７１６号公報
【特許文献２】特開２００４−１４２８７６号公報
【特許文献３】特開２０１１−１０４６５０号公報
【発明の概要】
【発明が解決しようとする課題】
【０００５】
特許文献１〜３のよるコイル材供給装置においては、板材は重力に逆らうように実質的に鉛直下側方向から鉛直上側方向に搬送されるために、板材が搬送される何れか場所で重力によって板材が垂下して、バタツキが発生しやすくなるという問題点がある。また、板材送り装置が間欠的に板材を高速に搬送する場合には、板材の移動・停止によって慣性力が発生して板材が振動し、バタツキが発生しやすくなるという問題点がある。【０００６】
従って、本発明の目的は、上記問題点を解決するために、板材を重力に逆らわないように搬送して重力方向への影響を緩和し、板材送り装置による板材の移動・停止によって発生する慣性力の影響を緩和するように、板材を供給することができる板材供給装置を提供することである。
【課題を解決するための手段】
【０００７】
本発明の１つの観点によれば、間欠的に板材を搬送する板材送り装置に、板材を供給するための板材供給装置が、略板材送り装置の方向に板材を搬送する上側部分と、上側部分から搬送された板材を受容して、斜め鉛直下側方向に板材を搬送する中央部分と、中央部分から搬送された板材を受容して、略板材送り装置の方向に板材を搬送する下側部分とを備える。【０００８】
本発明の一具体例によれば、板材供給装置には、板材送り装置の間欠搬送に応じて板材を滞留させることができる空間が設けられている。【０００９】
本発明の一具体例によれば、板材供給装置において、上記空間が、中央部分と下側部分との間に設けられている。【００１０】
本発明の一具体例によれば、板材供給装置において、中央部分が、板材を上側部分から中央部分に等速で搬送させることができるようになっている。【００１１】
本発明の一具体例によれば、板材供給装置において、上記空間の大きさが、板材供給装置における中央部分の位置を調整することによって調整されることができるようになっている。【００１２】
本発明の一具体例によれば、板材供給装置において、中央部分の位置が、板材の厚さ、板材の送り長さ、及び板材の搬送速度のうちの少なくとも１つに従って調整されることができるようになっている。【００１３】
本発明の一具体例によれば、板材供給装置において、中央部分が、上記空間の大きさを調整するために、鉛直方向に移動することができるようになっている。【００１４】
本発明の一具体例によれば、板材供給装置において、中央部分が、上記空間の大きさを調整するために、水平方向に平行であって、且つ斜め鉛直下側方向に垂直である軸線を中心として回転することができるようになっている。【００１５】
本発明の一具体例によれば、板材供給装置において、上側部分が、板材を中央部分に案内するためのガイドを備える。【００１６】
本発明の一具体例によれば、板材供給装置において、下側部分が、板材を板材送り装置に案内するためのガイドを備える。
【発明の効果】
【００１７】
本発明によれば、重力方向への影響を緩和してバタツキの発生を抑制することができ、加工装置に高速に板材を供給することができる。【００１８】
なお、本発明の他の目的、特徴及び利点は、添付図面に関する以下の本発明の実施例の記載から明らかになるであろう。
【図面の簡単な説明】
【００１９】
【図１】本発明の一実施形態としての板材供給装置を備える、プレス加工ラインの側面図である。
【図２】図１の板材供給装置を備える、プレス加工ラインの斜視図である。
【図３】図１の板材供給装置の側面図である。
【図４】図３の板材供給装置に対して、時計回り方向に中央部分を回転させた場合の板材供給装置の側面図である。
【図５】図３の板材供給装置に対して、鉛直下側方向に中央部分を移動させた場合の板材供給装置の側面図である。
【発明を実施するための形態】
【００２０】
以下、本発明の実施例について図面を参照して説明するが、本発明はこれらの実施例に限定されるものではない。
【００２１】
図１〜図５を参照して、本発明の一実施形態としての板材供給装置１０１を説明する。図１及び図２に示すように、プレス加工ラインにおいて、コイル材等の板材１０５は、アンコイラ１０４から板材供給装置１０１に搬送され、板材供給装置１０１は、プレス加工等の加工処理を行うプレス装置１０３等の加工装置に間欠的に板材１０５を搬送する板材送り装置１０２に、板材１０５を供給する。図３〜図５に示すように、板材供給装置１０１は、板材送り装置１０２の方向３０１に板材１０５を搬送する上側部分２０１と、上側部分２０１から搬送された板材１０５を受容して、斜め鉛直下側方向３０２に板材１０５を搬送する中央部分２０２と、中央部分２０２から搬送された板材１０５を受容して、板材送り装置１０２の方向３０１に板材１０５を搬送する下側部分２０３とを備える。板材送り装置１０２の方向３０１は、図３〜図５においては水平方向であるが、実質的に板材送り装置１０２の方向であればよく、水平方向から多少傾斜していてもよい。例えば、水平方向から鉛直下側方向に傾斜していてもよい。中央部分２０２においては、板材１０５は、実質的に鉛直下側方向に搬送されていればよい。また、中央部分２０２においては、板材１０５は、図３〜図５に示すように、板材送り装置１０２の方向３０１に対向する斜め鉛直下側方向３０２に搬送されてもよく、これによって、板材１０５は、Ｚ字状に折り返されように板材供給装置１０１において搬送され、結果として、プレス加工ラインのライン長を短くすることができる。また、板材１０５は、その重みによって重力方向に垂下して変形するが、板材供給装置１０１においては、板材１０５は重力に逆らわないように板材１０５自身の重みを利用して変形せずに搬送されるため、重力方向への影響を緩和してバタツキの発生を抑制することができ、且つ、プレス加工の高速化にも応えることができる。
【００２２】
板材供給装置１０１には、板材送り装置１０２のプレス装置１０３への間欠搬送に応じて板材１０５を滞留させることができる空間２０４が設けられている。空間２０４は、板材１０５の遊びの空間となる。板材送り装置１０２による板材１０５の搬送動作は、プレス装置１０３におけるプレス作業に合わせて板材１０５の移動・停止を繰り返すように間欠的に行われる。従って、板材送り装置１０２がプレス装置１０３に板材１０５を移動させている場合には、板材１０５は、空間２０４において中央部分２０２から下側部分２０３に向かって、図３〜図５で示される右側のループを描くように搬送される。板材送り装置１０２がプレス装置１０３への板材１０５の移動を停止すると、一方では板材１０５が中央部分２０２から下側部分２０３に向かって搬送され続けるために、板材１０５は空間２０４において滞留し、板材１０５の描くループは、停止時間に従って図３〜図５で示される左側のループの方に向かって左側に徐々に移動する。板材送り装置１０２がプレス装置１０３への板材１０５の移動を開始する直前の板材１０５が描くループが、図３〜図５で示される左側のループである。板材送り装置１０２がプレス装置１０３への板材１０５の移動を開始すると、板材１０５の描くループは、図３〜図５で示される右側のループの方に向かって右側に徐々に移動する。空間２０４を設けることによって、板材送り装置１０２による板材１０５の移動・停止によって発生する慣性力の影響を緩和して板材１０５の振動を抑制し、バタツキの発生を抑制することができ、且つ、プレス加工の高速化にも応えることができる。
【００２３】
空間２０４は、図３〜図５に示すように、中央部分２０２と下側部分２０３との間に設けられているのが好ましい。しかし、これに限定されるものではなく、板材供給装置の構成によっては、上側部分２０１と中央部分２０２との間に設けられてもよい。
【００２４】
中央部分２０２は、板材１０５を上側部分２０１から中央部分２０２に等速で搬送させることができるようになっている。中央部分２０２は、板材１０５を把持して搬送するための一対のロールと、一対のロールのうちの少なくとも１つを回転駆動するサーボモータと、サーボモータを駆動するドライバと、ドライバを介してサーボモータを制御して一対のロールによる板材１０５の送り量を制御する制御装置とを備えてもよく、一対のロールは、タイミングベルト、ギヤ、等の結合装置により結合されていてもよい。板材１０５を等速で搬送するために、制御装置はドライバに信号を出力し、信号に基づいてドライバはサーボモータの出力軸を回転させ、サーボモータの出力軸の回転に伴って、板材１０５を把持する一対のロールは等速に回転して、板材１０５を上側部分２０１から中央部分２０２に等速で搬送させる。一対のロールの間隔は、板材１０５の厚さに従って調整される。しかし、中央部分２０２は、これに限定されるものではなく、板材１０５を等速で搬送させることができるものであればよい。また、上側部分２０１が板材１０５を上側部分２０１から等速で搬送させることができるようになっていてもよい。
【００２５】
板材１０５を滞留させるための空間２０４の大きさは、板材供給装置１０１における中央部分２０２の位置を調整することによって調整されることができるようになっていてもよい。図３〜図５に示すように、板材１０５が中央部分２０２から下側部分２０３に向かって搬送される場合、空間２０４において中央部分２０２から下側部分２０３に向かうように板材１０５によるループが形成されるが、一般的に板材１０５がループを形成する場合の板材１０５のループ半径限界は通常、板材１０５の厚さの５００倍までとされており、板材１０５によるループがこのループ半径限界以下のループ半径であれば、板材１０５に曲がり変形が生じない。図３〜図５に示すように、中央部分２０２の板材供給装置１０１における位置を変更することによって、板材１０５によるループのループ半径を変更することができる。例えば、中央部分２０２の板材供給装置１０１における位置を変更することによって、板材１０５によるループのループ半径を小さくすることができ、それによって、板材１０５の自由度を制限して、バタツキの発生を抑制することができる。
【００２６】
中央部分２０２の位置は、板材１０５の厚さ、板材１０５の送り長さ、及び板材１０５の搬送速度のうちの少なくとも１つに従って調整されることができるようになっていてもよい。例えば、板材１０５の厚さが薄い場合には、ループ半径が小さくなるように中央部分２０２の位置を調整し、板材１０５の厚さが厚い場合には、ループ半径が大きくなるように中央部分２０２の位置を調整する。また、板材１０５の送り長さが短い場合には、ループ半径が小さくなるように中央部分２０２の位置を調整し、板材１０５の送り長さが長い場合には、ループ半径が大きくなるように中央部分２０２の位置を調整する。また、板材１０５の搬送速度が速い場合には、ループ半径が小さくなるように中央部分２０２の位置を調整し、板材１０５の搬送速度が遅い場合には、ループ半径が大きくなるように中央部分２０２の位置を調整する。
【００２７】
中央部分２０２は、空間２０４の大きさを調整するために、鉛直方向に移動することができるようになっていてもよい。図３及び図５に示すように、中央部分２０２を鉛直上側方向に移動させることによって、板材１０５が滞留することができる空間２０４を大きくしてループ半径を大きくすることができ、中央部分２０２を鉛直下側方向に移動させることによって、板材１０５が滞留することができる空間２０４を小さくしてループ半径を小さくすることができる。板材供給装置１０１は、中央部分２０２を鉛直方向に直線運動させることができる直線運動機構を備えてもよい。直線運動機構としては、例えば、エアシリンダ、電動シリンダ、等があって、シリンダを空気的又は電気的に鉛直方向に直線運動させることによって、それに応じて、シリンダに接続された中央部分２０２を直線運動させることができる。また、直線運動機構は、モータ、ねじ軸、及びナットより構成されていてもよく、モータの出力軸に接続されたねじ軸の回転を、ナットによる鉛直方向の直線運動に変換することによって、ナットに接続された中央部分２０２を直線運動させることができる。しかし、これに限定されるものではなく、中央部分２０２を鉛直方向に移動させることができるものであればよい。例えば、中央部分２０２は、手動調整により鉛直方向に移動することができてもよい。
【００２８】
中央部分２０２は、空間２０４の大きさを調整するために、水平方向に平行である軸線であって、且つ中央部分２０２において板材１０５が搬送される方向である斜め鉛直下側方向３０２に垂直である軸線を中心として回転することができるようになっていてもよい。図３及び図４に示すように、中央部分２０２を時計周りの方向に回転させて、鉛直下側方向に対する、板材１０５が中央部分２０２から送出される方向の角度を大きくすることによって、板材１０５が滞留することができる空間２０４を大きくしてループ半径を大きくすることができる。また、中央部分２０２を反時計周りの方向に回転させて、鉛直下側方向に対する、板材１０５が中央部分２０２から送出される方向の角度を小さくすることによって、板材１０５が滞留することができる空間２０４を小さくしてループ半径を小さくすることができる。板材供給装置１０１は、中央部分２０２を回転させることができる回転運動機構を備えてもよい。回転運動機構としては、例えばモータ等があって、水平方向に平行であって斜め鉛直下側方向３０２に垂直である軸線を中心としてモータの出力軸を回転させることによって、それに応じて、出力軸に接続された中央部分２０２を回転させることができる。また回転運動機構は、減速機を備えてもよい。しかし、これに限定されるものではなく、中央部分２０２を回転させることができるものであればよい。例えば、中央部分２０２は、手動調整により水平方向に平行であって斜め鉛直下側方向３０２に垂直である軸線を中心として回転することができてもよい。
【００２９】
上側部分２０１は、板材１０５を中央部分２０２に案内するために、少なくとも一部にガイド２０５を備えていてもよい。ガイド２０５によって、バタツキの発生を抑制することができる。図３〜図５においては、板材１０５の両面にガイド２０５が設けられている場所があるが、必要に応じて、板材１０５の片面にのみガイド２０５が設けられていてもよい。
【００３０】
中央部分２０２は、板材１０５を中央部分２０２の内部に案内するために、少なくとも一部にガイド２０６を備えていてもよい。ガイド２０６によって、バタツキの発生を抑制することができる。図３〜図５においては、板材１０５の両面にガイド２０６が設けられているが、必要に応じて、板材１０５の片面にのみガイド２０６が設けられていてもよい。また、ガイド２０６は、上側部分２０１から搬送される板材１０５を受容することができるように、上側部分２０１に向かって徐々に幅広であってもよい。幅広にすることによって、上記のように中央部分２０２が回転した場合であっても板材１０５を受容することができる。また、ガイド２０６は、中央部分２０２が回転した角度に応じて、中央部分２０２から突出する角度を調整することができてもよい。
【００３１】
下側部分２０３は、板材１０５を板材送り装置１０２に案内するために、少なくとも一部にガイド２０７を備えていてもよい。ガイド２０７によって、バタツキの発生を抑制することができる。図３〜図５においては、板材１０５の下面にのみガイド２０５が設けられているが、必要に応じて、板材１０５の両面にガイド２０７が設けられていてもよい。
【００３２】
上記に説明したような本発明の板材供給装置１０１を使用することによって、重力方向への影響、及び板材送り装置１０２による板材１０５の移動・停止によって発生する慣性力の影響を緩和して、プレス装置１０３等の加工装置に間欠的に板材１０５を搬送する板材送り装置１０２に、バタツキの発生が抑制され、板材１０５の振動が抑制され、且つ、プレス加工等の加工処理の高速化にも応える、板材１０５を供給することができる。そして、板材送り装置１０２から高精度に間欠的に搬送された板材１０５を、プレス装置１０３等の加工装置は、プレス加工等の加工処理を行って、携帯電話、パソコン、等の情報関連機器に使用される小型部品、自動車、産業用モータ部品、家電製品、等の構成部品、等の構造物を製造することができる。
【００３３】
上記記載は特定の実施例についてなされたが、本発明はそれに限らず、本発明の原理と添付の特許請求の範囲の範囲内で種々の変更及び修正をすることができることは当業者に明らかである。
【符号の説明】
【００３４】
１０１  板材供給装置
１０２  板材送り装置
１０３  プレス装置
１０４  アンコイラ
１０５  板材
２０１  上側部分
２０２  中央部分
２０３  下側部分
２０４  空間
２０５  ガイド
２０６  ガイド
２０７  ガイド
３０１  板材送り装置の方向
３０２  斜め鉛直下側方向
【図１】
2020162404.tif 000003
【図２】
2020162404.tif 000004
【図３】
2020162404.tif 000005
【図４】
2020162404.tif 000006
【図５】
2020162404.tif 000007
【国際調査報告】
2020162404.tif 000008
2020162404.tif 000009
2020162404.tif 000010
2020162404.tif 000011